(57)【要約】【課題】障害ログ記録用の特別なインタフェースを必要とせずに、障害が発生した機能ユニットにその障害ログを記録する技術を提供すること。【解決手段】制御装置１０および機能ユニット２０の間を高速シリアルインタフェースにより接続する伝送路１０１上に１組の低周波遮断部１２、２２を設け、低周波遮断部１２を制御装置１０に配置し、低周波遮断部２２を機能ユニット２０に配置する。制御装置１０の障害ログ送信部１３および機能ユニット２０の障害ログ格納部２３は、低周波遮断部１２、２２に挟まれた分断区間１０２を経由して低速シリアルインタフェースにより接続される。障害ログ送信部１３は、機能ユニット２０の障害ログ情報を表す低速シリアルインタフェースの信号を、高速シリアルインタフェースの信号に重畳させて障害ログ格納部２３に送信し、格納する。【選択図】      図１
2017010117.tif 000002
【特許請求の範囲】
【請求項１】
自装置および機能ユニットの間でシリアルインタフェースにより通信を行うシリアル通信部と、
前記シリアルインタフェースの伝送路上に直列に設けられ、前記伝送路上の信号に含まれる所定の低周波成分をそれぞれ遮断する１組の低周波遮断部のうちの一方と、
前記シリアルインタフェースの伝送路上における前記１組の低周波遮断部に挟まれた分断区間を経由して、前記シリアルインタフェースより低速な低速シリアルインタフェースにより接続された前記機能ユニットの障害ログ格納部に、前記機能ユニットの障害に関する障害ログ情報を表す前記低速シリアルインタフェースの信号を、前記シリアルインタフェースの信号に重畳させて送信する障害ログ送信部と、
を備えた制御装置。
【請求項２】
前記障害ログ送信部および前記分断区間を接続する伝送路上に、該伝送路上の信号に含まれる高調波を低減する高調波低減部をさらに設けたことを特徴とする請求項１に記載の制御装置。
【請求項３】
請求項１に記載の制御装置との間で前記シリアルインタフェースにより通信を行うシリアル通信部と、
前記１組の低周波遮断部のうちの他方と、
前記障害ログ格納部と、
を備えた機能ユニット。
【請求項４】
前記シリアル通信部に替えて、前記シリアル通信部を有するユニットを接続するための接続部を備えたことを特徴とする請求項３に記載の機能ユニット。
【請求項５】
前記障害ログ格納部および前記分断区間を接続する伝送路上に、該伝送路上の信号に含まれる高調波を低減する高調波低減部をさらに設けたことを特徴とする請求項３または請求項４に記載の機能ユニット。
【請求項６】
請求項１または請求項２に記載の制御装置と、
請求項３から請求項５のいずれか１項に記載の機能ユニットと、
を備えた装置。
【請求項７】
自装置および機能ユニットの間をシリアルインタフェースにより接続する伝送路上に直列に設けられ、前記伝送路上の信号に含まれる所定の低周波成分をそれぞれ遮断する１組の低周波遮断部に挟まれた前記伝送路における分断区間を経由して、前記シリアルインタフェースより低速な低速シリアルインタフェースにより接続された前記機能ユニットの障害ログ格納部に、前記機能ユニットの障害に関する障害ログ情報を表す前記低速シリアルインタフェースの信号を、前記シリアルインタフェースの信号に重畳させて送信する障害ログ記録方法。
【請求項８】
前記機能ユニットが、請求項７に記載の方法により送信される前記障害ログ情報を、前記障害ログ格納部に格納する障害ログ格納方法。
【請求項９】
制御装置および機能ユニットの間をシリアルインタフェースにより接続する伝送路上に直列に設けられ、前記伝送路上の信号に含まれる所定の低周波成分をそれぞれ遮断する１組の低周波遮断部に挟まれた前記伝送路における分断区間を経由して、前記シリアルインタフェースより低速な低速シリアルインタフェースにより接続された前記制御装置の障害ログ送信部および前記機能ユニットの障害ログ格納部の間で、
前記障害ログ送信部が、前記機能ユニットの障害に関する障害ログ情報を表す前記低速シリアルインタフェースの信号を、前記シリアルインタフェースの信号に重畳させて前記障害ログ格納部に対して送信し、
前記ログ格納部が、送信された前記障害ログ情報を格納する障害ログ記録方法。
【発明の詳細な説明】
【技術分野】
【０００１】
本発明は、コンピュータ装置における機能ユニットの障害に関する障害ログ情報を記録する技術に関する。
【背景技術】
【０００２】
一般的に、例えばストレージやサーバといった装置は、稼働現場で交換可能な機能ユニット（以下、ＦＲＵ：Field Replaceable Unit）を有し、故障したＦＲＵのみを交換できるよう設計される。ＦＲＵとしては、例えば、電源ユニット、ＨＤＤ（hard disk drive）ユニット、オプションカード、コントローラカード等がある。また、一般的に、そのような装置は、稼働中に何らかの障害が発生した場合、故障原因特定のために障害に関わる情報を残す。以下、障害に関わる情報を、障害ログとも記載する。
【０００３】
ここで、故障したＦＲＵは、障害原因を特定する調査を行うため、工場等に戻されることも多い。このため、故障したＦＲＵそのものが、障害ログを格納していることが望ましい。しかしながら、そのようなログを格納する領域を持たないＦＲＵは、障害ログを格納できないという問題がある。
【０００４】
このような問題に関連する技術が、特許文献１に記載されている。特許文献１に記載された関連技術では、上位システムは、ＨＤＤの障害に関する情報を、外部バス経由でＨＤＤに送る。そして、ＨＤＤ内のプロセッサが、障害に関する情報を、ＨＤＤ内の磁気ディスクまたは不揮発性記録部に記録する。
【０００５】
また、このような問題に関連する他の技術が、特許文献２に記載されている。特許文献２に記載された関連技術では、計算機システムの機能ユニットは、障害管理プロセッサにローカルバスを介して接続されている。そして、各機能ユニットの障害検出部は、自ユニットの障害を検出するとその情報を障害管理プロセッサに通知する。障害管理プロセッサは、通知された機能ユニットの障害に関する情報を、全ての機能ユニットの障害情報記録部に記録する。
【０００６】
ここで、これらの関連技術では、障害が発生した機能ユニットにその障害ログを記録するために、障害ログ記録用のバスという特別なインタフェースを必要とする点が問題となる。
【０００７】
この新たな問題に関連する技術として、プロセッサおよび機能ユニットの間で情報を送受信するために必要となる信号線数を減らす技術が、特許文献３に記載されている。特許文献３に記載された関連技術は、プロセッサおよび各機能ユニットの間にインタフェース回路を設ける。このインタフェース回路は、帯域が異なる複数のシリアルインタフェースにそれぞれ対応する複数のシリアル信号線を備える。このインタフェース回路には、プロセッサからの各機能ユニットへの信号が入力される。そして、このインタフェース回路は、入力された各機能ユニットへの信号をフォーマット変換してから重畳し、重畳信号を、その帯域に応じていずれかのシリアル信号線を選択して伝送する。そして、このインタフェース回路は、伝送した重畳信号を機能ユニットの種類ごとの信号に分割し、元のフォーマットに戻してから、機能ユニットに出力する。
【先行技術文献】
【特許文献】
【０００８】
【特許文献１】特開２００１−５６９７号公報
【特許文献２】特開２００６−２２７６６５号公報
【特許文献３】特開２０１０−３９８０３号公報
【発明の概要】
【発明が解決しようとする課題】
【０００９】
しかしながら、上述の関連技術には、以下の課題がある。
【００１０】
前述したように、特許文献１および特許文献２に記載された関連技術は、それぞれ、障害が発生した機能ユニット内に障害ログを保存するために、障害ログ記録用のバスという特別なインタフェースを必要とする。このため、これらの関連技術は、特別なインタフェースに対応する機能ユニットによりマシンコストを高くするという問題がある。
【００１１】
また、特許文献１または特許文献２に記載された関連技術に、特許文献３に記載された関連技術を組み合わせることを考える。ここで、特許文献３に記載された技術は、プロセッサおよび機能ユニットを接続するために必要なインタフェースの数に対して、必要となる信号線数を減らす構成である。したがって、これらの関連技術を組み合わせても、障害ログ記録用の特別なインタフェース自体が必要となることには変わりがない。
【００１２】
本発明は、上述の課題を解決するためになされたものである。すなわち、本発明は、障害ログ記録用の特別なインタフェースを必要とせずに、障害が発生した機能ユニットにその障害ログを記録する技術を提供することを目的とする。
【課題を解決するための手段】
【００１３】
本発明の制御装置は、自装置および機能ユニットの間でシリアルインタフェースにより通信を行うシリアル通信部と、前記シリアルインタフェースの伝送路上に直列に設けられ、前記伝送路上の信号に含まれる所定の低周波成分をそれぞれ遮断する１組の低周波遮断部のうちの一方と、前記シリアルインタフェースの伝送路上における前記１組の低周波遮断部に挟まれた分断区間を経由して、前記シリアルインタフェースより低速な低速シリアルインタフェースにより接続された前記機能ユニットの障害ログ格納部に、前記機能ユニットの障害に関する障害ログ情報を表す前記低速シリアルインタフェースの信号を、前記シリアルインタフェースの信号に重畳させて送信する障害ログ送信部と、を備える。
【００１４】
また、本発明の機能ユニットは、上述の制御装置との間で前記シリアルインタフェースにより通信を行うシリアル通信部と、前記１組の低周波遮断部のうちの他方と、前記障害ログ格納部と、を備える。
【００１５】
また、本発明の装置は、上述の制御装置と、上述の機能ユニットと、を備える。
【００１６】
また、本発明の障害ログ記録方法は、自装置および機能ユニットの間をシリアルインタフェースにより接続する伝送路上に直列に設けられ、前記伝送路上の信号に含まれる所定の低周波成分をそれぞれ遮断する１組の低周波遮断部に挟まれた前記伝送路における分断区間を経由して、前記シリアルインタフェースより低速な低速シリアルインタフェースにより接続された前記機能ユニットの障害ログ格納部に、前記機能ユニットの障害に関する障害ログ情報を表す前記低速シリアルインタフェースの信号を、前記シリアルインタフェースの信号に重畳させて送信する。
【００１７】
また、本発明の他の障害ログ格納方法は、前記機能ユニットが、上述の方法により送信される前記障害ログ情報を、前記障害ログ格納部に格納する。
【００１８】
また、本発明のさらに他の障害ログ記録方法は、制御装置および機能ユニットの間をシリアルインタフェースにより接続する伝送路上に直列に設けられ、前記伝送路上の信号に含まれる所定の低周波成分をそれぞれ遮断する１組の低周波遮断部に挟まれた前記伝送路における分断区間を経由して、前記シリアルインタフェースより低速な低速シリアルインタフェースにより接続された前記制御装置の障害ログ送信部および前記機能ユニットの障害ログ格納部の間で、前記障害ログ送信部が、前記機能ユニットの障害に関する障害ログ情報を表す前記低速シリアルインタフェースの信号を、前記シリアルインタフェースの信号に重畳させて前記障害ログ格納部に対して送信し、前記ログ格納部が、送信された前記障害ログ情報を格納する。
【発明の効果】
【００１９】
本発明は、障害ログ記録用の特別なインタフェースを必要とせずに、障害が発生した機能ユニットにその障害ログを記録する技術を提供することができる。
【図面の簡単な説明】
【００２０】
【図１】本発明の第1の実施の形態としての装置の構成を示すブロック図である。
【図２】本発明の第1の実施の形態における高速シリアルインタフェース信号のイメージを示す図である。
【図３】本発明の第1の実施の形態における低速シリアルインタフェース信号のイメージを示す図である。
【図４】本発明の第1の実施の形態における重畳信号のイメージを示す図である。
【図５】本発明の第２の実施の形態としての装置の構成を示すブロック図である。
【図６】本発明の第２の実施の形態としての装置の実装例を示すブロック図である。
【図７】本発明の第３の実施の形態としての装置の構成を示すブロック図である。
【発明を実施するための形態】
【００２１】
以下、本発明の実施の形態について、図面を参照して詳細に説明する。
【００２２】
（第１の実施の形態）
本発明の第１の実施の形態としての装置１の機能ブロック構成を図１に示す。図１において、装置１は、制御装置１０と、機能ユニット２０とを備える。制御装置１０は、シリアル通信部１１と、低周波遮断部１２と、障害ログ送信部１３とを備える。また、機能ユニット２０は、シリアル通信部２１と、低周波遮断部２２と、障害ログ格納部２３とを備える。
【００２３】
シリアル通信部１１およびシリアル通信部２１は、シリアルインタフェースに対応する伝送路１０１により接続される。また、低周波遮断部１２および低周波遮断部２２は、伝送路１０１上に直列に設けられている。伝送路１０１において低周波遮断部１２および低周波遮断部２２に挟まれた部分を、分断区間１０２と呼ぶことにする。また、障害ログ送信部１３および障害ログ格納部２３は、分断区間１０２を経由して、低速シリアルインタフェースにより互いに接続される。つまり、障害ログ送信部１３は、低速シリアルインタフェースに対応する伝送路１０３を介して分断区間１０２に接続される。また、障害ログ格納部２３は、低速シリアルインタフェースに対応する伝送路１０４を介して分断区間１０２に接続される。
【００２４】
なお、伝送路１０３および伝送路１０４は、それぞれ、分断区間１０２を構成するシリアルインタフェースに対応する信号線のうち、低速シリアルインタフェースに対応する数の信号線に接続すればよい。つまり、本実施の形態において採用される低速シリアルインタフェースに対応する信号線の本数は、シリアル通信部１１およびシリアル通信部２１を接続するシリアルインタフェースに対応する信号線の本数以下である。
【００２５】
また、低速シリアルインタフェースは、シリアル通信部１１およびシリアル通信部２１を接続するシリアルインタフェースより低速なシリアルインタフェースである。低速シリアルインタフェースは、シリアル通信部１１およびシリアル通信部２１を接続するシリアルインタフェースに比べて、充分に低速であることが望ましい。以降、シリアル通信部１１およびシリアル通信部２１を接続するシリアルインタフェースを、低速シリアルインタフェースより高速であることを表すため、高速シリアルインタフェースとも記載する。
【００２６】
まず、制御装置１０の機能ブロックについて説明する。
【００２７】
シリアル通信部１１は、機能ユニット２０のシリアル通信部２１との間で、高速シリアルインタフェースによる通信を行う。
【００２８】
低周波遮断部１２は、高速シリアルインタフェースに対応する伝送路１０１上に流れる信号に含まれる所定の低周波成分を遮断する。ここで、所定の低周波成分とは、低速シリアルインタフェースの信号に対応する周波数成分である。
【００２９】
障害ログ送信部１３は、障害ログ情報を表す低速シリアルインタフェースの信号を、高速シリアルインタフェースの信号に重畳させることにより、機能ユニット２０の障害ログ格納部２３に対して送信する。
【００３０】
ここで、高速シリアルインタフェースの信号に対して、低速シリアルインタフェースの信号が重畳された重畳信号のイメージを、図２〜図４を用いて説明する。図２は、高速シリアルインタフェースの信号（高速信号）のイメージを示す図である。また、図３は、障害ログ情報を表す低速シリアルインタフェースの信号（低速信号）のイメージを示す図である。また、図４は、図２に示す信号に、図３に示す信号が重畳された重畳信号のイメージを示す図である。
【００３１】
なお、障害ログ情報は、例えば、制御装置１０のシリアル通信部１１により検出・生成された情報であってもよい。また、障害ログ情報は、例えば、機能ユニット２０のシリアル通信部２１により検出・生成され、制御装置１０のシリアル通信部１１に通知された情報であってもよい。また、障害ログ送信部１３は、シリアル通信部１１からの障害ログ情報の格納要求に応じて、障害ログ情報の送信を行ってもよい。また、障害ログ送信部１３は、障害ログ情報だけでなく、機能ユニット２０の動作に関する各種ログ情報を、機能ユニット２０の障害ログ格納部２３に送信してもよい。この場合、障害ログ送信部１３は、障害検出時に限らず、定められたタイミング毎に各種ログ情報の送信を行ってもよい。
【００３２】
次に、機能ユニット２０の機能ブロックについて説明する。
【００３３】
シリアル通信部２１は、制御装置１０のシリアル通信部１１との間で、高速シリアルインタフェースによる通信を行う。
【００３４】
低周波遮断部２２は、高速シリアルインタフェースに対応する伝送路１０１上の信号に含まれる所定の低周波成分を遮断する。
【００３５】
障害ログ格納部２３は、制御装置１０の障害ログ送信部１３から、低速シリアルインタフェースにより送信される障害ログ情報を格納する。
【００３６】
以上の構成により、分断区間１０２上の信号に含まれる低速シリアルインタフェースの障害ログ情報は、低周波遮断部１２および２２により遮断される。換言すると、この低周波遮断部１２および２２に挟まれた分断区間１０２のバイアスレベル（つまり電位）は、シリアル通信部１１および２１間のシリアル通信に影響を与える可能性が低い。したがって、分断区間１０２上の信号に低周波の障害ログ情報が含まれていても、シリアル通信部１１および２１は、含まれていない場合と同様に高速シリアルインタフェースによる通信を行うことができる。
【００３７】
以上のように構成された装置１の動作について説明する。
【００３８】
シリアル通信部１１およびシリアル通信部２１は、伝送路１０１を介して高速シリアルインタフェースによる通信を行っている。ここで、シリアル通信部１１または２１により障害が検出され、障害ログ情報が生成される。もし、機能ユニット２０のシリアル通信部２１により障害ログ情報が生成された場合は、その障害ログ情報は、伝送路１０１を介してシリアル通信部１１に通知される。そして、障害ログ送信部１３は、シリアル通信部１１からの障害ログ情報の格納要求に応じて、障害ログ情報を表す低速シリアルインタフェースの信号を、高速シリアルインタフェースの信号に重畳させて、障害ログ格納部２３に対して送信する。機能ユニット２０の障害ログ格納部２３は、低速シリアルインタフェースにより送信された障害ログ情報を格納する。
【００３９】
以上で、装置１の動作の説明を終了する。
【００４０】
次に、本発明の第１の実施の形態の効果について述べる。
【００４１】
本発明の第１の実施の形態としての装置は、障害ログ記録用の特別なインタフェースを必要とせずに、障害が発生した機能ユニットにその障害ログを記録することができる。
【００４２】
その理由は、制御装置と機能ユニットとの間を結ぶ高速シリアルインタフェースに対応する伝送路上に、１組の低周波遮断部を直列に設け、その一方を制御装置側に配置し、他方を機能ユニット側に配置するからである。そして、制御装置が、高速シリアルインタフェースに対応する伝送路上において１組の低周波遮断部に挟まれた分断区間を経由して、低速シリアルインタフェースにより機能ユニットの障害ログ格納部に接続される障害ログ送信部を有するからである。そして、制御装置の障害ログ送信部が、機能ユニットの障害に関する障害ログ情報を表す低速シリアルインタフェースの信号を、高速シリアルインタフェースの信号に重畳させて、機能ユニットの障害ログ格納部に対して送信するからである。そして、機能ユニットの障害ログ格納部が、低速シリアルインタフェースにより送信された障害ログ情報を格納するからである。
【００４３】
この構成により、分断区間上の高速シリアルインタフェースの信号に重畳された低速シリアルインタフェースの障害ログ情報は、低周波遮断部により遮断される。そのため、制御装置および機能ユニット間のシリアル通信への影響は少ない。
【００４４】
したがって、本発明の第１の実施の形態は、制御装置および機能ユニット間を接続する高速シリアルインタフェースを利用して、他の特別なインタフェースを設ける必要なく、障害が発生した機能ユニットに、その機能ユニットの障害ログを格納できる。
【００４５】
（第２の実施の形態）
次に、本発明の第２の実施の形態について図面を参照して詳細に説明する。なお、本実施の形態の説明において参照する各図面において、本発明の第１の実施の形態と同一の構成には同一の符号を付して本実施の形態における詳細な説明を省略する。
【００４６】
まず、本発明の第２の実施の形態としての装置の構成を図５に示す。図５において、装置２は、制御装置３０および機能ユニット４０を含む。制御装置３０は、本発明の第１の実施の形態としての制御装置１０と同一の構成に加えて、高調波低減部３４を備える。高調波低減部３４は、障害ログ送信部１３および分断区間１０２を接続する伝送路１０３上に設けられる。機能ユニット４０は、本発明の第１の実施の形態としての機能ユニット２０と同一の構成に加えて、高調波低減部４４を備える。高調波低減部４４は、障害ログ格納部２３および分断区間１０２を接続する伝送路１０４上に設けられる。
【００４７】
高調波低減部３４は、伝送路１０３上の信号に含まれる高調波を減少させる。
【００４８】
高調波低減部４４は、伝送路１０４上の信号に含まれる高調波を減少させる。
【００４９】
ここで、高調波低減部３４および４４は、低速シリアル通信の波形をなまらせるための要素である。これらの高調波低減部３４および４４は、シリアル通信部１１および２１間のシリアル通信への低速シリアル通信の影響をさらに減少させる目的で設けられている。低周波シリアルインタフェースの信号は、その値の遷移時（Ｈ→Ｌ、Ｌ→Ｈなど）にその波形が矩形に近くなるほど、周波数成分として高調波の成分を含む。このため、低速シリアルインタフェースが、高速シリアルインタフェースに比べて充分に低速であったとしても、低周波シリアルインタフェースの信号に含まれる高調波が、高速シリアルインタフェースの信号に影響を与えることがある。高調波低減部３４および４４は、この影響を低減するために設けられている。
【００５０】
以上のように構成された装置２の動作について説明する。装置２の動作は、本発明の第１の実施の形態としての装置１の動作と略同様である。ただし、伝送路１０３上の低速シリアル通信の信号に含まれる高調波は、高調波低減部３４により低減される。また、伝送路１０４上の低速シリアル通信の信号に含まれる高調波は、高調波低減部４４により低減される。
【００５１】
このような装置２の実装例を図６に示す。
【００５２】
この実装例では、装置２として、ストレージ装置を適用する。また、機能ユニット２０としては、高速シリアルインタフェースであるＳＡＳ（Serial Attached SCSI）に対応するＨＤＤ（hard disk drive）を適用する。また、制御装置１０は、ＨＤＤを制御するコントローラカードによって構成される。また、この実装例では、低速シリアルインタフェースとして、Ｉ２Ｃ（アイ・スクエア・シー：Inter-Integrated Circuit）を採用する。ここで、例えば、ＳＡＳの通信速度が３ＧＨｚであり、Ｉ２Ｃの通信速度が１００ｋＨｚであるとすれば、ＳＡＳに比べてＩ２Ｃは充分に低速である。
【００５３】
図６において、制御装置３０および機能ユニット２０は、バックボード（またはケーブル）によって接続されている。制御装置３０のシリアル通信部１１および機能ユニット２０のシリアル通信部２１は、それぞれ、ＳＡＳコントローラによって構成される。シリアル通信部（ＳＡＳコントローラ）１１および２１間は、バックボード（またはケーブル）を含む伝送路１０１によって接続される。伝送路１０１は、ＳＡＳに対応する７本の信号線によって構成される。７本の信号線の構成は、送信差動用の１ペア（ＴｘＰ，ＴｘＮ）、受信差動用の１ペア（ＲｘＮ，ＲｘＰ）、および、３本のグラウンド（ＧＮＤ）である。ここで、Ｉ２Ｃの信号は、ＳＤＡ信号（シリアルデータ信号）およびＳＣＬ信号（シリアルクロック信号）からなる。そこで、図６には、ＳＡＳに対応する７本の信号線のうち、Ｉ２Ｃの信号が重畳される２本（ＴｘＰ，ＴｘＮ）のみを示している。ただし、Ｉ２Ｃの信号が重畳される信号線の種類を限定するものではない。Ｉ２Ｃの信号は、他の２本（例えば、ＲｘＰ，ＲｘＮ）に重畳される構成も可能である。
【００５４】
低周波遮断部１２および２２は、カップリングコンデンサによって構成される。前述のように、Ｉ２Ｃの信号は、ＳＡＳに対応する７本の信号線のうち２本に重畳される。そこで、制御装置１０の低周波遮断部１２は、２つのカップリングコンデンサによって構成される。また、機能ユニット２０の低周波遮断部２２は、２つのカップリングコンデンサによって構成される。低周波遮断部１２を構成する一方のカップリングコンデンサおよび低周波遮断部２２を構成する一方のカップリングコンデンサは、伝送路１０１の信号線ＴｘＰ上に直列に設けられる。また、低周波遮断部１２を構成する他方のカップリングコンデンサおよび低周波遮断部２２を構成する他方のカップリングコンデンサは、伝送路１０１の信号線ＴｘＮ上に直列に設けられる。分断区間１０２は、信号線ＴｘＰおよびＴｘＮ上においてそれぞれ1組のカップリングコンデンサに挟まれた各区間によって構成される。
【００５５】
高調波低減部３４および４４は、インダクタによって構成される。前述のように、Ｉ２Ｃに対応する信号線は２本である。そこで、高調波低減部３４は、２つのインダクタによって構成される。高調波低減部３４を構成する２つのインダクタは、伝送路１０３を構成する２本の信号線にそれぞれ設けられる。また、高調波低減部４４は、２つのインダクタによって構成される。高調波低減部４４を構成する２つのインダクタは、伝送路１０４を構成する２本の信号線にそれぞれ設けられる。
【００５６】
障害ログ送信部１３は、ＦＰＧＡ（field-programmable gate array）によって構成される。障害ログ送信部（ＦＰＧＡ）１３を分断区間１０２に接続する伝送路１０３は、Ｉ２Ｃに対応する２本の信号線ＳＤＡおよびＳＣＬによって構成される。障害ログ送信部１３は、障害ログ情報を表すＩ２Ｃの信号を、障害ログ格納部２３宛てに伝送路１０３に送出する。これにより、分断区間１０２上のＳＡＳの信号には、Ｉ２Ｃの信号が重畳される。
【００５７】
機能ユニット２０の障害ログ格納部２３は、Ｉ２Ｃに対応するメモリによって構成される。障害ログ格納部（Ｉ２Ｃメモリ）２３を分断区間１０２に接続する伝送路１０４は、Ｉ２Ｃに対応する２本の信号線ＳＤＡおよびＳＣＬによって構成される。
【００５８】
なお、障害ログ送信部（ＦＰＧＡ）１３および障害ログ格納部（Ｉ２Ｃメモリ）２３間でＩ２Ｃ通信を行うため、伝送路１０３を構成する２本の信号線には、それぞれプルアップ抵抗１３１が接続される。また、伝送路１０４を構成する２本の信号線には、それぞれプルアップ抵抗２３１が接続される。
【００５９】
以上説明した実装例の装置（ストレージ装置）２の動作について説明する。
【００６０】
障害ログ送信部（ＦＰＧＡ）１３は、伝送路１０３、分断区間１０２、伝送路１０４を介して、ＳＡＳの信号に障害ログ情報を表すＩ２Ｃの信号を重畳させて、障害ログ格納部２３に対して障害ログ情報を送信する。
【００６１】
障害ログ格納部（Ｉ２Ｃメモリ）２３は、Ｉ２Ｃ通信により送信された障害ログ情報を格納する。
【００６２】
分断区間１０２のＳＡＳ信号に障害ログ情報を表すＩ２Ｃの信号が重畳されていても、低周波遮断部（カップリングコンデンサ）１２および２２によって低周波が遮断される。また、Ｉ２Ｃの信号にその値の遷移時に含まれる高調波は、高調波低減部（インダクタ）３４および４４によって低減される。したがって、シリアル通信部（ＳＡＳコントローラ）１１および１２は、ＳＡＳによる通信を継続することができる。
【００６３】
次に、本発明の第２の実施の形態の効果について述べる。
【００６４】
本発明の第２の実施の形態としての装置は、障害ログ記録用の特別なインタフェースを必要とせずに、障害が発生した機能ユニットにその障害ログを記録する際に、高速シリアル通信に対する影響を、さらに低減することができる。
【００６５】
その理由は、制御装置の障害ログ送信部および分断区間を接続する伝送路上に、該伝送路上の信号に含まれる高調波を低減する高調波低減部をさらに設けたからである。また、機能ユニットの障害ログ格納部および分断区間を接続する伝送路上に、該伝送路上の信号に含まれる高調波を低減する高調波低減部をさらに設けたからである。これにより、本実施の形態は、低周波シリアル信号の値の遷移時に含まれる高調波の成分が、高調波シリアル通信に与える影響を低減するからである。
【００６６】
（第３の実施の形態）
次に、本発明の第３の実施の形態について図面を参照して詳細に説明する。なお、本実施の形態の説明において参照する各図面において、本発明の第２の実施の形態と同一の構成には同一の符号を付して本実施の形態における詳細な説明を省略する。
【００６７】
まず、本発明の第３の実施の形態としての装置３の構成を図７に示す。図７において、装置３は、本発明の第２の実施の形態としての装置２に対して、機能ユニット４０に替えて機能ユニット６０を含む。機能ユニット６０は、本発明の第２の実施の形態としての機能ユニット４０と同様の構成のうち、シリアル通信部２１に替えて、接続部６５を備える。接続部６５は、シリアル通信部９１を有する汎用ユニット９０に接続するための要素である。機能ユニット６０には、制御装置３０が採用する高速シリアルインタフェースに対応するシリアル通信部９１を有する汎用ユニット９０が搭載される。
【００６８】
このように構成された装置３は、本発明の第３の実施の形態における構成および動作の説明において、シリアル通信部２１をシリアル通信部９１と読み替えることにより同様に説明される。
【００６９】
次に、本発明の第３の実施の形態の効果について述べる。
【００７０】
本発明の第３の実施の形態としての装置は、障害ログ記録用の特別なインタフェースを必要とせずに、障害が発生した機能ユニットにその障害ログを記録するために、高速シリアルインタフェースに対応する汎用的なユニットを用いることができる。
【００７１】
その理由は、機能ユニットが、シリアル通信部に替えて、シリアル通信部を有するユニットに接続する接続部を備えるからである。
【００７２】
ここで、前述した本発明の第１および第２の実施の形態は、低速シリアルインタフェースに対応する障害ログ格納部を有する特別な機能ユニットを必要としていた。しかしながら、特別な機能ユニットは、汎用的な機能ユニットに比べてコストが高い。そこで、本実施の形態では、機能ユニットにおいてシリアル通信部に替えて接続部を備える。これにより、本実施の形態の機能ユニットは、汎用的なユニットの障害ログ情報を格納するための中継基板として機能する。このような構成により、搭載するユニットには、特別な機能ブロックを実装する必要がない。したがって、本実施の形態は、安価な汎用的なユニットを用いることができる。なお、本実施の形態における機能ユニット（中継基板）に汎用的なユニットを組み付けてモジュールとして一体化することで、本実施の形態は、故障した機能ユニットそのものに障害ログを格納するという課題を解決している。
【００７３】
なお、上述した本発明の各実施の形態において、高速シリアルインタフェースとしてＳＡＳを適用し、低速シリアルインタフェースとしてＩ２Ｃを適用する例について説明した。これに限らず、高速シリアルインタフェースは、他のシリアルインタフェースであってもよい。また、低速シリアルインタフェースは、高速シリアルインタフェースに比べて充分に低速であれば、他のシリアルインタフェースであってもよい。
【００７４】
また、上述した本発明の各実施の形態において、低周波遮断部をカップリングコンデンサによって構成し、高調波低減部をインダクタによって構成する例について説明した。これに限らず、低周波遮断部は、信号に含まれる低周波を遮断する他の要素によって構成されていてもよい。また、高調波低減部は、信号に含まれる高調波を低減する他の要素によって構成されていてもよい。
【００７５】
また、上述した本発明の各実施の形態において、障害ログ送信部をＦＰＧＡによって構成し、障害ログ格納部をＩ２Ｃメモリによって構成する例について説明した。これに限らず、障害ログ送信部は、低速シリアルインタフェースにより情報を送信する他の要素によって構成されていてもよい。また、障害ログ格納部は、低速シリアルインタフェースにより送信された情報を格納する他の要素によって構成されていてもよい。
【００７６】
また、上述した本発明の各実施の形態において、装置としてストレージ装置を適用し、機能ユニットとしてＨＤＤを適用する例について説明した。これに限らず、装置は、機能ユニットおよびその機能ユニットを制御する制御装置を含むサーバ装置や、その他の装置によって構成されていてもよい。
【００７７】
また、上述した各実施の形態は、適宜組み合わせて実施されることが可能である。
【００７８】
また、本発明は、上述した各実施の形態に限定されず、様々な態様で実施されることが可能である。
【符号の説明】
【００７９】
１、２、３    装置
１０、３０    制御装置
２０、４０、６０    機能ユニット
１１、２１、９１    シリアル通信部
１２、２２    低周波遮断部
１３    障害ログ送信部
２３    障害ログ格納部
３４、４４      高調波低減部
６５    接続部
９０    汎用ユニット
９１    シリアル通信部
１０１、１０３、１０４    伝送路
１０２    分断区間
１３１  プルアップ抵抗
２３１  プルアップ抵抗
【図１】
2017010117.tif 000003
【図２】
2017010117.tif 000004
【図３】
2017010117.tif 000005
【図４】
2017010117.tif 000006
【図５】
2017010117.tif 000007
【図６】
2017010117.tif 000008
【図７】
2017010117.tif 000009